【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
無線通信システムにおける送信デバイスが自動再送要求（ＡＲＱ）リセットを実行する方法であって、
ＡＲＱリセット手続きが開始される場合にＡＲＱウィンドウの開始を示すシーケンス番号を決定するステップと、
前記決定されたシーケンス番号を含むＡＲＱリセットメッセージを受信デバイスに送信するステップと、
前記ＡＲＱリセットメッセージに応じてＡＲＱリセット受信アクノリッジメッセージを前記受信デバイスから受信する場合に、前記送信デバイスで前記ＡＲＱウィンドウを構成する情報を前記決定されたシーケンス番号に設定するステップと
を有することを特徴とする無線通信システムにおけるＡＲＱリセットを実行する方法。
【請求項２】
前記ＡＲＱリセットメッセージに応じて、ＡＲＱリセット受信アクノリッジメッセージを前記受信デバイスから受信するステップをさらに有することを特徴とする請求項１に記載の無線通信システムにおけるＡＲＱリセットを実行する方法。
【請求項３】
前記ＡＲＱウィンドウの開始を示す前記シーケンス番号は、
前記送信デバイスで前記ＡＲＱリセット手続きがトリガーされた時点に、前記送信デバイスでの前記ＡＲＱウィンドウの開始シーケンス、前記ＡＲＱウィンドウのサイズ、及びＡＲＱシーケンス番号モジュラス（ＡＲＱ＿ＳＮ＿Ｍｏｄｕｌｕｓ）を用いて決定されることを特徴とする請求項１又は請求項２に記載の無線通信システムにおけるＡＲＱリセットを実行する方法。
【請求項４】
前記ＡＲＱウィンドウの開始を示す前記シーケンス番号は、
下記の数式に基づいて決定されることを特徴とする請求項１乃至請求項３のうちのいずれか１項に記載の無線通信システムにおけるＡＲＱリセットを実行する方法。
【数１】
2013531952.tif 000001
【請求項５】
前記シーケンス番号を決定する前に、前記送信デバイスが新たなＡＲＱブロックの送信及び前に送信されたＡＲＱブロックの再送信をディスエーブルするステップをさらに有することを特徴とする請求項１乃至請求項４のうちのいずれか１項に記載の無線通信システムにおけるＡＲＱリセットを実行する方法。
【請求項６】
前記ＡＲＱウィンドウを構成する情報を前記決定されたシーケンス番号に設定した後に、ＡＲＱブロックの送信をイネーブルするステップをさらに有することを特徴とする請求項１乃至請求項５のうちのいずれか１項に記載の無線通信システムにおけるＡＲＱリセットを実行する方法。
【請求項７】
前記送信デバイスでの前記ＡＲＱウィンドウを構成する情報は、前記受信デバイスから肯定受信がアクノリッジされないもっとも低いシーケンス番号を有するＡＲＱブロックのシーケンス番号を示すＡＲＱ送信ウィンドウ開始情報（ＡＲＱ＿ＴＸ＿ＷＩＮＤＯＷ＿ＳＴＡＲＴ）と、前記送信デバイスにより次に送信されるＡＲＱブロックのシーケンス番号を示すＡＲＱ＿ＴＸ＿ＮＥＸＴ＿ＳＮを含むことを特徴とする請求項１乃至請求項６のうちのいずれか１項に記載の無線通信システムにおけるＡＲＱリセットを実行する方法。
【請求項８】
前記ＡＲＱリセット手続きは、前記送信デバイスにより開始されることを特徴とする請求項１乃至請求項７のうちのいずれか１項に記載の無線通信システムにおけるＡＲＱリセットを実行する方法。
【請求項９】
前記ＡＲＱリセット手続きは、前記受信デバイスにより開始されることを特徴とする請求項１乃至請求項７のうちのいずれか１項に記載の無線通信システムにおけるＡＲＱリセットを実行する方法。
【請求項１０】
前記シーケンス番号を決定するステップの前に、前記ＡＲＱリセット手続きの開始を示すＡＲＱリセットメッセージを前記受信デバイスから受信するステップをさらに有することを特徴とする請求項９に記載の無線通信システムにおけるＡＲＱリセットを実行する方法。
【請求項１１】
無線通信システムにおける自動再送要求（ＡＲＱ）リセットを実行する送信デバイスであって、
受信デバイスとＡＲＱリセット手続きのためのメッセージを送受信する送受信器と、
前記ＡＲＱリセット手続きが開始される場合にＡＲＱウィンドウの開始を示すシーケンス番号を決定し、前記決定されたシーケンス番号を含むＡＲＱリセットメッセージを受信デバイスに送信し、前記送信デバイスでの前記ＡＲＱウィンドウを構成する情報を前記決定されたシーケンス番号に設定するＡＲＱエンティティーと、
前記送受信器と前記ＡＲＱエンティティーの動作を制御するプロセッサとを有することを特徴とする送信デバイス。
【請求項１２】
前記ＡＲＱエンティティーは、前記ＡＲＱリセットメッセージに応じて、ＡＲＱリセット受信アクノリッジメッセージを前記受信デバイスから受信することを特徴とする請求項１１に記載の送信デバイス。
【請求項１３】
前記ＡＲＱウィンドウの開始を示す前記シーケンス番号は、
前記送信デバイスで前記ＡＲＱリセット手続きがトリガーされた時点に、前記送信デバイスでの前記ＡＲＱウィンドウの開始シーケンス、前記ＡＲＱウィンドウのサイズ、及びＡＲＱシーケンス番号モジュラス（ＡＲＱ＿ＳＮ＿Ｍｏｄｕｌｕｓ）を用いて決定されることを特徴とする請求項１１又は請求項１２に記載の送信デバイス。
【請求項１４】
前記ＡＲＱウィンドウの開始を示す前記シーケンス番号は、
下記の数式に基づいて決定されることを特徴とする請求項１１乃至請求項１３のうちのいずれか１項に記載の送信デバイス。
【数２】
2013531952.tif 000002
【請求項１５】
前記ＡＲＱエンティティーは、前記シーケンス番号を決定する前に新たなＡＲＱブロックの送信及び前に送信されたＡＲＱブロックの再送信をディスエーブルすることを特徴とする請求項１１乃至請求項１４のうちのいずれか１項に記載の送信デバイス。
【請求項１６】
前記ＡＲＱエンティティーは、前記ＡＲＱウィンドウを構成する情報を前記決定されたシーケンス番号に設定した後に、ＡＲＱブロックの送信をイネーブルすることを特徴とする請求項１１乃至請求項１５のうちのいずれか１項に記載の送信デバイス。
【請求項１７】
前記送信デバイスでの前記ＡＲＱウィンドウを構成する情報は、前記受信デバイスから肯定受信がアクノリッジされないもっとも低いシーケンス番号を有するＡＲＱブロックのシーケンス番号を示すＡＲＱ送信ウィンドウ開始情報（ＡＲＱ＿ＴＸ＿ＷＩＮＤＯＷ＿ＳＴＡＲＴ）と、前記送信デバイスにより次に送信されるＡＲＱブロックのシーケンス番号を示すＡＲＱ＿ＴＸ＿ＮＥＸＴ＿ＳＮを含むことを特徴とする請求項１１乃至請求項１６のうちのいずれか１項に記載の送信デバイス。
【請求項１８】
前記ＡＲＱリセット手続きは、前記送信デバイスにより開始されることを特徴とする請求項１１乃至請求項１７のうちのいずれか１項に記載の送信デバイス。
【請求項１９】
前記ＡＲＱリセット手続きは、前記受信デバイスにより開始されることを特徴とする請求項１１乃至請求項１７のうちのいずれか１項に記載の送信デバイス。
【請求項２０】
前記ＡＲＱエンティティーは、前記シーケンス番号を決定する前に、前記ＡＲＱリセット手続きの開始を示すＡＲＱリセットメッセージを前記受信デバイスから受信することを特徴とする請求項１９に記載の送信デバイス。
【請求項２１】
無線通信システムにおける受信デバイスが自動再送要求（ＡＲＱ）リセットを実行する方法であって、
ＡＲＱリセット手続きが開始される場合に、ＡＲＱウィンドウの開始を示すシーケンス番号を含むＡＲＱリセットメッセージを送信デバイスから受信するステップと、
前記受信デバイスで前記ＡＲＱウィンドウを構成する情報を前記受信されたＡＲＱリセットメッセージで前記シーケンス番号に設定するステップと
を有することを特徴とする無線通信システムにおけるＡＲＱリセットを実行する方法。
【請求項２２】
前記ＡＲＱウィンドウを構成する情報を前記ＡＲＱリセットメッセージから受信されたシーケンス番号に設定する場合に、前記ＡＲＱリセットメッセージに応じてＡＲＱリセット受信アクノリッジメッセージを前記送信デバイスに送信するステップをさらに有することを特徴とする請求項２１に記載の無線通信システムにおけるＡＲＱリセットを実行する方法。
【請求項２３】
前記ＡＲＱウィンドウの開始を示す前記シーケンス番号は、
前記送信デバイスで前記ＡＲＱリセット手続きがトリガーされた時点に、前記送信デバイスでの前記ＡＲＱウィンドウの開始シーケンス、前記ＡＲＱウィンドウのサイズ、及びＡＲＱシーケンス番号モジュラス（ＡＲＱ＿ＳＮ＿Ｍｏｄｕｌｕｓ）を用いて決定されることを特徴とする請求項２１又は請求項２２に記載の無線通信システムにおけるＡＲＱリセットを実行する方法。
【請求項２４】
前記ＡＲＱウィンドウの開始を示す前記シーケンス番号は、
下記の数式に基づいて決定されることを特徴とする請求項２１乃至請求項２３のうちのいずれか１項に記載の無線通信システムにおけるＡＲＱリセットを実行する方法。
【数３】
2013531952.tif 000003
【請求項２５】
前記ＡＲＱリセットメッセージを前記送信デバイスから受信する場合に、１つ又は複数のＡＲＱブロックの受信をディスエーブルするステップをさらに有することを特徴とする請求項２１乃至請求項２４のうちのいずれか１項に記載の無線通信システムにおけるＡＲＱリセットを実行する方法。
【請求項２６】
前記ＡＲＱリセット手続きが開始される場合に、１つ又は複数のＡＲＱブロックの受信をディスエーブルするステップをさらに有することを特徴とする請求項２１乃至請求項２５のうちのいずれか１項に記載の無線通信システムにおけるＡＲＱリセットを実行する方法。
【請求項２７】
前記ＡＲＱウィンドウを構成する情報を前記ＡＲＱリセットメッセージから受信された前記シーケンス番号に設定した後に、ＡＲＱブロックの受信をイネーブルするステップをさらに有することを特徴とする請求項２１乃至請求項２６のうちのいずれか１項に記載の無線通信システムにおけるＡＲＱリセットを実行する方法。
【請求項２８】
前記受信デバイスでの前記ＡＲＱウィンドウを構成する情報は、前記受信デバイスから正確に受信されないもっとも低いシーケンス番号を有するＡＲＱブロックを示すＡＲＱウィンドウの開始を示すＡＲＱ受信ウィンドウ開始情報（ＡＲＱ＿ＲＸ＿ＷＩＮＤＯＷ＿ＳＴＡＲＴ）と、前記受信デバイスが受信したＡＲＱブロックのもっとも大きいシーケンス番号に１を加えた値を示すＡＲＱ＿ＲＸ＿ＮＥＸＴ＿ＢＳＮを含むことを特徴とする請求項２１乃至請求項２７のうちのいずれか１項に記載の無線通信システムにおけるＡＲＱリセットを実行する方法。
【請求項２９】
前記ＡＲＱリセット手続きは、前記送信デバイスにより開始されることを特徴とする請求項２１乃至請求項２８のうちのいずれか１項に記載の無線通信システムにおけるＡＲＱリセットを実行する方法。
【請求項３０】
前記ＡＲＱリセット手続きは、前記受信デバイスにより開始されることを特徴とする請求項２１乃至請求項２８のうちのいずれか１項に記載の無線通信システムにおけるＡＲＱリセットを実行する方法。
【請求項３１】
無線通信システムにおける自動再送要求（ＡＲＱ）リセットを実行する受信デバイスであって、
送信デバイスとＡＲＱリセット手続きのためのメッセージを送受信する送受信器と、
前記ＡＲＱリセット手続きが開始される場合に、ＡＲＱウィンドウの開始を示すシーケンス番号を含むＡＲＱリセットメッセージを前記送信デバイスから受信し、前記受信デバイスでの前記ＡＲＱウィンドウを構成する情報を前記受信されたＡＲＱリセットメッセージで前記シーケンス番号に設定するＡＲＱエンティティーと、
前記送受信器と前記ＡＲＱエンティティーの動作を制御するプロセッサと
を有することを特徴とする受信デバイス。
【請求項３２】
前記ＡＲＱエンティティーは、前記ＡＲＱウィンドウを構成する情報を前記シーケンス番号に設定した場合に、前記ＡＲＱリセットメッセージに応じてＡＲＱリセットアクノリッジメッセージを前記送信デバイスに送信することを特徴とする請求項３１に記載の受信デバイス。
【請求項３３】
前記ＡＲＱウィンドウの開始を示す前記シーケンス番号は、
前記送信デバイスで前記ＡＲＱリセット手続きがトリガーされた時点に、前記送信デバイスでの前記ＡＲＱウィンドウの開始シーケンス、前記ＡＲＱウィンドウのサイズ、及びＡＲＱシーケンス番号モジュラス（ＡＲＱ＿ＳＮ＿Ｍｏｄｕｌｕｓ）を用いて決定されることを特徴とする請求項３１又は請求項３２に記載の受信デバイス。
【請求項３４】
前記ＡＲＱウィンドウの開始を示す前記シーケンス番号は、
下記の数式に基づいて決定されることを特徴とする請求項３１乃至請求項３３のうちのいずれか１項に記載の受信デバイス。
【数４】
2013531952.tif 000004
【請求項３５】
前記ＡＲＱエンティティーは、前記ＡＲＱリセットメッセージを前記送信デバイスから受信する場合に１つ又は複数のＡＲＱブロックの受信をディスエーブルすることを特徴とする請求項３１乃至請求項３４のうちのいずれか１項に記載の受信デバイス。
【請求項３６】
前記ＡＲＱエンティティーは、ＡＲＱリセット手続きが開始される場合に、１つ又は複数のＡＲＱブロックの受信をディスエーブルすることを特徴とする請求項３１乃至請求項３５のうちのいずれか１項に記載の受信デバイス。
【請求項３７】
前記ＡＲＱエンティティーは、前記ＡＲＱウィンドウを構成する情報を前記ＡＲＱリセットメッセージで受信された前記シーケンス番号に設定した後に、ＡＲＱブロックの受信をイネーブルすることを特徴とする請求項３１乃至請求項３６のうちのいずれか１項に記載の受信デバイス。
【請求項３８】
前記受信デバイスでの前記ＡＲＱウィンドウを構成する情報は、前記受信デバイスから正確に受信されないもっとも低いシーケンス番号を有するＡＲＱブロックを示すＡＲＱウィンドウの開始を示すＡＲＱ受信ウィンドウ開始情報（ＡＲＱ＿ＲＸ＿ＷＩＮＤＯＷ＿ＳＴＡＲＴ）と、前記受信デバイスが受信したＡＲＱブロックのもっとも大きいシーケンス番号に１を加えた値を示すＡＲＱ＿ＲＸ＿ＮＥＸＴ＿ＢＳＮを含むことを特徴とする請求項３１乃至請求項３７のうちのいずれか１項に記載の受信デバイス。
【請求項３９】
前記ＡＲＱリセット手続きは、前記送信デバイスにより開始されることを特徴とする請求項３１乃至請求項３８のうちのいずれか１項に記載の受信デバイス。
【請求項４０】
前記ＡＲＱリセット手続きは、前記受信デバイスにより開始されることを特徴とする請求項３１乃至請求項３８のうちのいずれか１項に記載の受信デバイス。